(57)【要約】      （修正有）【課題】玉を組み込んだ保持器の寸法を精度よく測定できる転がり軸受の保持器寸法測定装置および転がり軸受の保持器寸法測定方法を提供すること。【解決手段】保持器寸法測定装置１１は、円周方向の複数箇所にポケットを有するリング状の保持器６６と、保持器６６の各ポケットに保持される複数の玉６８とを備える転がり軸受の保持器寸法測定装置１１であって、測定治具本体１３の外周に保持器６６のポケットに組み込まれた総ての玉６８を外向きに押し出す環状のウレタンゴム１４を備える。【選択図】図１
2013156191.tif 000002
【特許請求の範囲】
【請求項１】
円周方向に設けられた複数のポケットに玉を組み込んだリング状の保持器の寸法を測定する転がり軸受の保持器寸法測定装置であって、
前記保持器のポケットに組み込まれた総ての玉に直接接触して外向きの力を加える接触部を備えることを特徴とする転がり軸受の保持器寸法測定装置。
【請求項２】
前記接触部は、測定治具の外周に設けられ前記保持器のポケットに保持された玉に内接して前記玉を外向きに押圧する環状の弾性体であることを特徴とする請求項１に記載の転がり軸受の保持器寸法測定装置。
【請求項３】
前記接触部は、前記保持器の内側の前記玉と同位相の位置に設けられ電磁力によって前記複数の玉を外向きに押し出すプランジャであることを特徴とする請求項１に記載の転がり軸受の保持器寸法測定装置。
【請求項４】
前記接触部は、前記保持器の内側の前記玉と同位相の位置に設けられ空気圧によって前記複数の玉を外向きに押し出すエアシリンダであることを特徴とする請求項１に記載の転がり軸受の保持器寸法測定装置。
【請求項５】
前記接触部は、前記保持器の内側に装着された円筒形状の測定治具の外周に巻きつけられ圧縮空気の供給によって前記測定治具の半径方向に膨らみ前記複数の玉を外向きに押し出す伸縮可能な弾性体であることを特徴とする請求項１に記載の転がり軸受の保持器寸法測定装置。
【請求項６】
前記接触部は、前記保持器の外側の前記玉と同位相の位置に設けられ前記玉を外向きに真空吸着する真空パッドであることを特徴とする請求項１に記載の転がり軸受の保持器寸法測定装置。
【請求項７】
円周方向の複数箇所にポケットを有するリング状の保持器の各ポケットに複数の玉を組み込んだ状態で保持器の内径または外径を測定する転がり軸受の保持器寸法測定方法であって、
前記保持器のポケットに組み込まれた総ての玉に直接接触する接触部によって前記保持器の総てのポケットに組み込まれた玉に対して外向きの力を加えた状態で、前記玉を含む前記保持器の外径または内径を測定することを特徴とする転がり軸受の保持器寸法測定方法。
【発明の詳細な説明】
【技術分野】
【０００１】
本発明は、玉を組み込んだ状態の保持器の内径または外径寸法等を測定する転がり軸受の保持器寸法測定装置およびその測定方法に関し、特に、プレス加工によって形成された保持器に玉を組み込んだ状態の内径または外径寸法等を正確に測定する転がり軸受の保持器寸法測定装置およびその測定方法に関する。
【背景技術】
【０００２】
アンギュラ玉軸受６１は、図６に示すように、外輪６２の内周面６３と、内輪６４の外周面６５との間に、保持器６６のポケット６７によって保持される複数の玉６８を備えている。
【０００３】
保持器本体６９は、図７に示すように、鉄板をわん形状にプレス加工して成形され、円周方向に玉６８を保持するポケット６７が複数個形成される。例えば、円周方向のポケット６７の直径をその短軸方向の直径との寸法差が玉６８の直径の０．５％以上となる長円形状に形成すると、ポケット６７に保持された玉６８はより円滑に回転するようになる（例えば、特許文献１参照）。
【０００４】
このように、ポケット６７の寸法差のような微細な部品の測定精度は、製品の仕上がり時の品質および精度に大きく影響する。図８に示すように、従来の転がり転がり軸受の製造工程においては、保持器６６のポケット６７に保持された玉６８が外輪６２の内周面６３および内輪６４の外周面６５との間に所定のすきまを維持して収まることなどを確認するために、玉６８をポケット６７に組み込んだ保持器６６の内径Ｒｉ、外径Ｒｏおよび軸方向の幅等をマイクロメータ、レーザ測長器またはノギス等を用いて測定する。
【０００５】
保持器６６の外径の測定方法については、内輪６４の外周面６５に合わせてテーパ状に形成した測定治具７０を作成し、保持器６６に玉６８をポケット６７に組み込んだ状態で測定治具７０を装着して、保持器６６の外径Ｒｏを測定する。
【０００６】
他に、各円すい玉の転動面に合わせて外周面をテーパ状に形成した測定治具を保持器の各ポケットに円すい玉を組み込んだ円すい玉の内周に配置し、ポケットすきま寸法が予め分かっている保持器・玉組立体の基準品との差を測定によって求め、円すい転がり軸受の保持器ポケットすきま寸法を精度よく測定するものもある（例えば、特許文献２参照）。
【先行技術文献】
【特許文献】
【０００７】
【特許文献１】特開２００７−４０４３０号公報
【特許文献２】特開２００９−２２９１９０号公報
【発明の概要】
【発明が解決しようとする課題】
【０００８】
しかしながら、従来のプレス加工等により形成した保持器６６またはポケット６７を打ち抜き加工等により形成した保持器６６では、保持器本体６９がプレス加工時に微妙に歪んだり、打ち抜き加工時に一部のポケット６７で打ち抜きのバリが残ることがある。
【０００９】
測定治具７０は、硬いセラミック等を用いて内輪６４の外周面６５の形状に合わせ下側が先細りになった円すい台状に形成されているため、保持器６６のポケット６７の一部で玉６８と保持器６６の間に微小なすきま７１が生じて、実際より測定結果が小さく測定されることがあった。
【００１０】
測定時にはすきま７１によって保持器６６の内周寄りにある玉も、運転が始まると内輪６４の回転によって保持器６６に対して外向きに押し出されるため、保持器６６に組み込まれた一部の玉と外輪との間で所定のすきまが維持されない、または玉の一部が回転しないなどの不具合が生じることがあった。
【００１１】
特許文献２は、円すい玉と保持器の間のポケットすきま寸法を測るものであり、玉を組み込んだ状態で測定に用いる保持器・玉組立体自体は、基準品の一部であり、玉を組み込んだ保持器は測定の対象ではない。
【００１２】
本発明は、このような問題点に鑑みてなされたもので、その目的とすると玉は、玉を組み込んだ保持器の寸法を精度よく測定できる転がり軸受の保持器寸法測定装置および転がり軸受の保持器寸法測定方法を提供することにある。
【課題を解決するための手段】
【００１３】
本発明の転がり軸受の保持器寸法測定装置は、円周方向に設けられた複数のポケットに玉を組み込んだリング状の保持器の寸法を測定する転がり軸受の保持器寸法測定装置であって、前記保持器のポケットに組み込まれた総ての玉に直接接触して外向きの力を加える接触部を備えることを特徴とする。
【００１４】
本発明の転がり軸受の保持器寸法測定方法は、円周方向の複数箇所にポケットを有するリング状の保持器の各ポケットに複数の玉を組み込んだ状態で保持器の内径または外径を測定する転がり軸受の保持器寸法測定方法であって、前記保持器のポケットに組み込まれた総ての玉に直接接触する接触部によって前記保持器の総てのポケットに組み込まれた玉に対して外向きの力を加えた状態で、前記玉を含む前記保持器の外径または内径を測定することを特徴とする。
【発明の効果】
【００１５】
本発明によれば、玉を組み込んだ保持器の寸法を精度よく測定できる転がり軸受の保持器寸法測定装置および転がり軸受の保持器寸法測定方法を提供することができる。
【図面の簡単な説明】
【００１６】
【図１】本発明の第１の実施形態の転がり軸受の保持器寸法測定装置を示す断面図
【図２】本発明の第２の実施形態の転がり軸受の保持器寸法測定装置を示す断面図
【図３】本発明の第３の実施形態の転がり軸受の保持器寸法測定装置を示す断面図
【図４】本発明の第４の実施形態の転がり軸受の保持器寸法測定装置を示す断面図
【図５】本発明の第５の実施形態の転がり軸受の保持器寸法測定装置を示す断面図
【図６】アンギュラ玉軸受の断面図
【図７】プレス保持器の断面図
【図８】従来の転がり軸受の保持器寸法測定装置を示す断面図
【発明を実施するための形態】
【００１７】
以下、図面に基づき、本発明の実施形態について説明する。第１の実施形態は、保持器の形状に沿った外周面を有する測定治具本体の外周に保持器に保持された玉に内接するウレタンゴムなどの弾性体で形成した環状の接触部を設け、弾性体を複数の玉に直接接触させて玉を外向きに押圧した状態で保持器の外径を測定する例であり、第２の実施形態は、測定治具本体に複数の玉の位置に合わせてバネによって玉を外向きに押圧するプランジャを設け、複数の玉を保持器の内側に設けられたバネによってそれぞれ個別に外向きに押圧して保持器の外径を測定する例である。
【００１８】
第３の実施形態は、測定治具本体に複数の玉の位置に合わせて圧縮空気によって玉を外向きに押圧するエアシリンダを設け、複数の玉を保持器の内側に設けられたエアシリンダによってそれぞれ個別に外向きに押圧して保持器の外径を測定する例であり、第４の実施形態は、円筒形状に形成された測定治具本体の外周に圧縮空気によって測定治具の半径方向に膨らむホース形状のポリウレタンを巻きつけ複数の玉を外向きに押圧して保持器の外径を測定する例である。
【００１９】
第５の実施形態は、保持器の外側に、複数の玉の位置に合わせ真空吸着によって玉を外向きに吸引する真空パッドを設け、複数の玉を保持器の外側に設けられた真空パッドによってそれぞれ個別に外向きに吸引して保持器の内径を測定する例である。
【００２０】
図１は、本発明の第１の実施形態の転がり軸受の保持器寸法測定装置を示す断面図である。図１に示すように、転がり軸受の保持器寸法測定装置１１において測定対象となるものは、図８に示す転がり軸受８１の中で玉６８を組み込んだ状態の保持器６６の外径Ｒｏである。
【００２１】
保持器寸法測定装置１１は、玉６８をポケットに組み込んだ状態で保持器６６を支持する支持手段１２と、支持手段１２に支持されて保持器６６の形状に沿った外周面を有する測定治具本体１３と、測定治具本体１３の外周に設けられた環状のウレタンゴム１４と、玉６８を組み込んだ保持器６６の外径を測定する径方向位置測定手段１５を備える。
【００２２】
支持手段１２は、床面に設置された保持器載せ台であり、上面１２ａが水平になるように調整されている。保持器載せ台の上面１２ａに玉６８を組み込み内側に測定治具本体１３を装着した保持器６６の小径側６６ｂを載せる。
【００２３】
測定治具本体１３は、保持器６６の形状に合わせ下側が先細りになった円すい台状に形成される。径が大きい保持器５の場合、測定治具１３の径も大きくなり、径が大きい測定治具１３は重量が重いので、その重みで保持器６６がたわみ変形するおそれもあるので、測定治具１３の素材としては、比較的軽くて硬いセラミック等を用いることが好ましい。
【００２４】
測定治具本体１３の外周に設けられたウレタンゴム１４は、一方の端が全周に渡って玉６８の形状に沿って凹形状に刳り貫かれ、凹形状の底が内輪６４の外径より若干大きく形成された外径を有する環状の弾性体であり、もう一方の端を測定治具本体１３外周面１３ａに接着剤等によって粘着固定される。
【００２５】
ウレタンゴム１４は、一方の端をその凹形状の底の径が内輪６４の外径より若干大きくなるように形成しているので、保持器６６のポケット６７に組み込まれた総ての玉６８は、それぞれウレタンゴム１４と直接接触し、ウレタンゴム１４の弾性力によって外向きに押圧される。
【００２６】
径方向位置測定手段１５として、例えばマイクロメータ、またはレーザ測長器等を使用して、保持器６６のポケット６７に組み込んだ玉６８をウレタンゴム１４の弾性力によって外向きに押圧した状態で玉６８を組み込んだ保持器６６の外径ＲＯを測定する。保持器６６の外径Ｒｏは、保持器６６の全周に渡って測定することが望ましい。
【００２７】
以上、詳細に説明したように、第１の実施形態によれば、測定治具本体１３の外周面１３ａに環状のウレタンゴム１４を設け、保持器６６のポケット６７に組み込んだ総ての玉６８をウレタンゴム１４に直接接触させてウレタンゴム１４の弾性力によって外向きに押圧した状態で保持器６６の外径ＲＯを測定するようにしたので、玉６８を組み込んだ保持器６６の外径寸法を正確に測定できるようになり、従来と比較して測定精度を向上させることができた。
【００２８】
第１の実施形態によれば、測定治具本体１３の外周面１３ａに環状のウレタンゴム１４を設け、保持器６６のポケット６７に組み込んだ総ての玉６８をウレタンゴム１４に直接接触させてウレタンゴム１４の弾性力によって外向きに押圧した状態で保持器６６の外径ＲＯを全周に渡って測定するようにしたので、玉６８を組み込んだ保持器６６の外径寸法の歪みを精度よく測定することができた。
【００２９】
なお、第１の実施形態は、玉６８がウレタンゴム１４の弾性力によって押し出されるような比較的軽くて軟らかい玉６８を保持器６６に組み込むときに用いるとよい。
【００３０】
図２は、本発明の第２の実施形態の転がり軸受の保持器寸法測定装置を示す断面図である。他の実施形態に対応する部分は、同一の符号を付して説明を省略する。図２に示すように、転がり軸受の保持器寸法測定装置２１は、支持手段１２によって保持器６６の内側に支持される測定治具本体２３と、保持器６６のポケット６７に組み込まれた複数の玉６８の位置に合わせてそれぞれ個別に測定治具本体２３に取り付けられる複数のプランジャ２４を備える。
【００３１】
測定治具本体２３中央部２３ａには、保持器６６のポケット６７に組み込まれた総ての玉６８の位相に合わせて、プランジャ取り付け部２３ｂが設けられる。プランジャ取り付け部２３ｂにプランジャ２４をセッティングし、プランジャ２４の先端が玉６８の中心に向いて玉６８に当接するようにプランジャ２４の位置を定めてねじ等によって固定する。
【００３２】
その後、プランジャ２４を起動して保持器６６のポケット６７に組み込まれた総ての玉６８をプランジャ２４の電磁力によって外向きに押し出し、径方向位置測定手段１５を用いて保持器６６の外径Ｒｏを測定する。保持器６６の外径Ｒｏは、保持器６６の全周に渡って測定することが望ましい。
【００３３】
第２の実施形態によれば、測定治具本体２３の外周に複数の玉６８の位相に合わせてそれぞれ個別に複数のプランジャ２４を設け、保持器６６のポケット６７に組み込んだ玉６８をプランジャ２４に直接接触させてプランジャ２４の電磁力によって外向きに押し出した状態で保持器６６の外径ＲＯを測定するようにしたので、玉６８を組み込んだ保持器６６の外径寸法を正確に測定できるようになり、従来と比較して測定精度を向上させることができた。
【００３４】
第２の実施形態によれば、測定治具本体２３の外周に複数の玉６８の位相に合わせてそれぞれ個別に複数のプランジャ２４を設け、保持器６６のポケット６７に組み込んだ玉６８をプランジャ２４に直接接触させてプランジャ２４の電磁力によって外向きに押し出した状態で保持器６６の外径ＲＯを全周に渡って測定するようにしたので、玉６８を組み込んだ保持器６６の外径寸法の歪みを精度よく測定することができた。
【００３５】
なお、第２の実施形態は、電磁力によって玉６８を外向きに押し出しているので、比較的硬くて重い玉６８を保持器６６に組み込むときに用いるとよい。
【００３６】
図３は、本発明の第３の実施形態の転がり軸受の保持器寸法測定装置を示す断面図である。他の実施形態に対応する部分は、同一の符号を付して説明を省略する。図３に示すように、転がり軸受の保持器寸法測定装置３１は、支持手段１２によって保持器６６の内側に支持される測定底板３２と、側定底板３２に嵌めあい勘合されてねじで固定される円環状の測定治具本体３３と、保持器６６のポケット６７に組み込まれた複数の玉６８の位置に合わせてそれぞれ個別に測定治具本体３３に取り付けられる複数のエアシリンダ３４を備える。
【００３７】
測定底板３２は、円板を重ね合わせたような形状を有し、保持器６６の小径側６６ｂ内径と嵌めあい勘合される。測定治具本体３３は、側定底板３２と同軸の中心軸を有する。測定治具本体３３には、保持器６６のポケット６７に組み込まれた総ての玉６８の位相に合わせて、エアシリンダ取り付け部３３ｂが設けられる。エアシリンダ取り付け部３３ｂにエアシリンダ３４をセッティングし、エアシリンダ３４の先端が玉６８から少し間隔を置いて玉６８の中心に向くようにエアシリンダ３４の位置を定め、ねじ等によって固定する。
【００３８】
その後、エアシリンダ３４を起動して保持器６６のポケット６７に組み込まれた総ての玉６８をエアシリンダ３４の空気圧によって徐々に外向きに押し出し、径方向位置測定手段１５を用いて保持器６６の外径Ｒｏを測定する。保持器６６の外径Ｒｏは、保持器６６の全周に渡って測定することが望ましい。
【００３９】
第３の実施形態によれば、測定治具本体２３の外周に複数の玉６８の位相に合わせてそれぞれ個別に複数のエアシリンダ３４を設け、保持器６６のポケット６７に組み込んだ総ての玉６８をエアシリンダ３４に直接接触させてエアシリンダ３４の空気圧によって外向きに押し出した状態で保持器６６の外径ＲＯを測定するようにしたので、玉６８を組み込んだ保持器６６の外径寸法を正確に測定できるようになり、従来と比較して測定精度を向上させることができた。
【００４０】
第３の実施形態によれば、測定治具本体２３の外周に複数の玉６８の位相に合わせてそれぞれ個別に複数のエアシリンダ３４を設け、保持器６６のポケット６７に組み込んだ総ての玉６８をエアシリンダ３４に直接接触させてエアシリンダ３４の空気圧によって外向きに押し出した状態で保持器６６の外径ＲＯを全周に渡って測定するようにしたので、玉６８を組み込んだ保持器６６の外径寸法の歪みを精度よく測定することができた。
【００４１】
なお、第３の実施形態は、空気の力によって玉６８を外向きに押し出しているので比較的軽くて軟らかい玉６８を保持器６６に組み込むときに用いるとよい。
【００４２】
図４は、本発明の第４の実施形態の転がり軸受の保持器寸法測定装置を示す断面図である。他の実施形態に対応する部分は、同一の符号を付して説明を省略する。図４に示すように、転がり軸受の保持器寸法測定装置４１は、支持手段１２によって保持器６６の内側に支持される測定底板４２と、測定底板４２に嵌めあい勘合されてねじで固定される円柱形状の測定治具本体４３と、測定治具本体４３の外周に巻き付けられた中空で細長いポリウレタンの袋４４を備える。
【００４３】
測定底板４２は、円板を重ね合わせたような形状を有し、保持器６６の小径側６６ｂ内径と嵌めあい勘合される。測定治具本体４３は、測定底板４２と同軸の中心軸を有する。ポリウレタンの袋４４は、図示しないエアーボンベ等に接続される。
【００４４】
その後、エアーボンベ等のコックを開くと圧縮空気が送り込まれ、圧縮空気によって測定治具本体４３の外周に巻き付けられたポリウレタンの袋４４が保持器６６の径方向に徐々に膨らみ、膨張したポリウレタンの袋４４の弾性力によって保持器６６のポケット６７に組み込まれた総ての玉６８が外向きに押し出される。
【００４５】
ポリウレタンの袋４４に送り込まれた圧縮空気の弾性力によって保持器６６のポケット６７に組み込まれた総ての玉６８が外向きに押し出された状態で径方向位置測定手段１５を用いて保持器６６の外径ＲＯを測定する。保持器６６の外径Ｒｏは、保持器６６の全周に渡って測定することが望ましい。
【００４６】
第４の実施形態によれば、測定治具本体４３の外周にポリウレタンの袋４４を巻き付けて圧縮空気を送り込み、保持器６６のポケット６７に組み込んだ総ての玉６８にポリウレタンの袋４４が直接接触してポリウレタンの袋４４の弾性力によって玉６８を外向きに押圧した状態で保持器６６の外径Ｒｏを測定するようにしたので、玉６８を組み込んだ保持器６６の外径寸法を正確に測定することができるようになり、従来と比較して測定精度を向上させることができた。
【００４７】
第４の実施形態によれば、測定治具本体４３の外周にポリウレタンの袋４４を巻き付けて圧縮空気を送り込み、保持器６６のポケット６７に組み込んだ総ての玉６８にポリウレタンの袋４４が直接接触してポリウレタンの袋４４の弾性力によって玉６８を外向きに押圧した状態で保持器６６の外径Ｒｏを全周に渡って測定するようにしたので、玉６８を組み込んだ保持器６６の外径寸法の歪みを精度よく測定することができた。
【００４８】
なお、第４の実施形態は、玉６８がポリウレタンの袋４４に送り込まれた圧縮空気の弾性力によって押し出されるような比較的軽くて軟らかい玉６８を組み込む保持器６６に用いることとよい。
【００４９】
図５は、本発明の第５の実施形態の転がり軸受の保持器寸法測定装置を示す断面図である。他の実施形態に対応する部分は、同一の符号を付して説明を省略する。図５に示すように、転がり軸受の保持器寸法測定装置５１は、支持手段１２によって保持器６６に支持される円板形状の測定底板５２と、保持器６６のポケット６７に組み込まれた複数の玉６８の位置に合わせてそれぞれ個別に保持器６６の外周の測定底板５２に取り付けられる複数の真空パッド５４を備える。
【００５０】
測定底板５２は、保持器６６の小径側６６ｂ内径と嵌めあい勘合される。測定底板５２の保持器６６の外側には、保持器６６のポケット６７に組み込まれた総ての玉６８の位相に合わせて、真空パッド５４が設けられる。真空パッド５４は、吸引方向が玉６８の中心に向かい真空パッド５４の先端に設けられたパッド５４ｈが玉６８の表面に吸着するように真空パッド５４の位置を定め、ねじ５５等によって固定する。
【００５１】
その後、真空パッド５４を起動して保持器６６のポケット６７に組み込まれた総ての玉６８を真空パッド５４の真空吸着力によって外向きに吸引し、径方向位置測定手段１５を用いて玉６８を組み込んだ保持器６６の内径Ｒｉを測定する。保持器６６の内径Ｒｉは、保持器６６の全周に渡って測定することが望ましい。
【００５２】
第５の実施形態によれば、測定治具本体２３の外周に複数の玉６８の位置に合わせてそれぞれ個別に複数の真空パッド５４を設け、保持器６６のポケット６７に組み込んだ総ての玉６８を真空パッド５４のパッド５４ｈに直接接触させて真空パッド５４の吸引力によって保持器６６の外側に吸着した状態で保持器６６の内径Ｒｉを測定するようにしたので、玉６８を組み込んだ保持器６６の内径寸法を正確に測定することができるようになり、従来と比較して測定精度を向上させることができた。
【００５３】
第５の実施形態によれば、測定治具本体２３の外周に複数の玉６８の位置に合わせてそれぞれ個別に複数の真空パッド５４を設け、保持器６６のポケット６７に組み込んだ総ての玉６８を真空パッド５４のパッド５４ｈに直接接触させて真空パッド５４の吸引力によって保持器６６の外側に吸着した状態で保持器６６の内径Ｒｉを全周に渡って測定するようにしたので、玉６８を組み込んだ保持器６６の内径寸法の歪みを精度よく測定することができた。
【００５４】
なお、第５の実施形態は、比較的軟らかくて軽い玉６８を組み込む保持器６６に用いることができる。
【符号の説明】
【００５５】
１１、２１、３１、４１、５１・・・保持器寸法測定装置
１２・・・支持手段
１２ａ・・・支持手段の上面
１３、２３、３３、４３・・・測定治具本体
１４・・・環状のウレタンゴム
１５・・・径方向位置測定手段
２３ａ・・・測定治具本体中央部
２３ｂ・・・プランジャ取り付け部
２４・・・プランジャ
３３ｂ・・・エアシリンダ取り付け部
３４・・・エアシリンダ
３２、４２・・・測定底板
４４・・・ポリウレタンの袋
５２・・・測定底板
５４・・・真空パッド
５４ｈ・・・パッド
５５・・・ねじ
６１・・・アンギュラ玉軸受
６２・・・外輪
６３・・・外輪の内周面
６４・・・内輪
６５・・・内輪の外周面
６６・・・保持器
６６ｂ・・・保持器の小径側
６７・・・ポケット
６８・・・玉
６９・・・保持器本体
７０・・・測定治具
Ｒｏ・・・保持器の外径
Ｒｉ・・・保持器の内径
【図１】
2013156191.tif 000003
【図２】
2013156191.tif 000004
【図３】
2013156191.tif 000005
【図４】
2013156191.tif 000006
【図５】
2013156191.tif 000007
【図６】
2013156191.tif 000008
【図７】
2013156191.tif 000009
【図８】
2013156191.tif 000010